(57)【特許請求の範囲】
【請求項１】
伸縮性を有する材料からなる導光板と、前記導光板の一方の面に配置される反射シートと、前記導光板の他方の面に配置される少なくとも１枚の光学シートとを備え、
前記反射シートは、一方向に沿って配置される複数の部分反射シートから構成され、該部分反射シートは、隣接する少なくとも一方の部分反射シートと一端側が互いに重ねられるように配置されるとともに、一部が前記導光板に固定され、かつ、前記固定された部分以外の部分が、前記導光板に対して前記一方向にスライド可能に取り付けられていることにより、伸縮可能に構成されていることを特徴とする面状照明装置。
【請求項２】
前記複数の部分反射シートは、前記一方向と平行な両端辺にそれぞれ１つ以上の鉤部が設けられており、前記鉤部の先端部が、前記導光板に前記一方向と平行に形成された溝に配置されていることを特徴とする請求項１に記載の面状照明装置。
【発明の詳細な説明】
【技術分野】
【０００１】
本発明は、サイドライト方式の面状照明装置に関し、特に、一方向に湾曲させることが可能な面状照明装置に関するものである。
【背景技術】
【０００２】
薄型であること等に特徴を有する液晶表示パネルは、自ら発光しないことから、画像を表示するには照明手段が必要となる。この照明手段としては、光源を導光板の側面に配置した所謂サイドライト方式の面状照明装置が、薄型化に有利であることから、携帯電話等の小型携帯情報機器の分野を中心に広く採用されている。そして、導光板の側面に配置される光源としては、小型化および省電力化等に優れたＬＥＤ（発光ダイオード）が多用されている。  
【０００３】
従来のこの種の面状照明装置としては、例えば図８に示す構成が知られている。図８に示す面状照明装置４１は、導光板４２と、導光板４２の入光面４４に配置されるＬＥＤ４６と、導光板４２の出射面４８側（上面側）に配置される拡散シート５０および２枚のプリズムシート５２，５４と、導光板４２の反射面５６側(下面側)に配置される反射シート５８とを備えている。なお、図８に示す例では、ＬＥＤ４６の上面側および下面側に、ＬＥＤ４６用の反射板５９，６０がそれぞれ配置されている。
【０００４】
拡散シート５０は、導光板４２の出射面４８から出射する光を拡散して輝度を均一にするために使用されるものである。また、２枚のプリズムシート５２，５４は、拡散シート５０によって輝度が均一化された光の２軸方向の視野角特性を調整するために、プリズムの稜線の方向が互いに直交するように配置されるものである。拡散シート５０および２枚のプリズムシート５２，５４は、いずれも標準的な照明特性が要求される面状照明装置においては広く使用されている光学部材である。また、反射シート５８は、導光板４２の反射面５６から漏れる光を導光板４２に戻すために使用される光学部材であり、サイドライト方式の面状照明装置を構成する上で必須の構成部材となっている。（特許文献１参照）。
【０００５】
ところで、近年では、表示装置の利便性の向上を図るために、筒状に丸めることができ、持ち運びが可能な液晶表示装置の開発も進められている。筒状に丸めることができる液晶表示装置を実現するには、筒状に丸めることができる程度の柔軟性を備えた面状照明装置が必要となる。
【０００６】
従来の柔軟性を備えた面状照明装置としては、例えば図９に示す構成のものが知られている。図９に示す面状照明装置６１は、液晶パネル６２の下面側に配置される導光板６４と、その導光板６４の一側端面に形成された入光面（受光面）６６に対向して配置されるＬＥＤ６８とを備えている。
導光板６４は、厚みが０．１ｍｍ程度の透明若しくは半透明のポリエチレンテレレフタレート（ＰＥＴ）、シリコーン又はポリイミドのような可撓性を備えたシート部材で形成されており、自由な形状に折り曲げが可能に構成されている。なお、導光板６４の上面には、ＬＥＤ６８から導光板６４内に入射した光を散乱させて導光板６４の上面から出射させるための光散乱部７０が形成されている。（特許文献２参照）。  
【０００７】
【特許文献１】特開２００７−５３０１４号公報
【特許文献２】特開２００４−２０００９３号公報
【発明の開示】
【発明が解決しようとする課題】
【０００８】
ところで、図９に示す導光板６４は、可撓性を備えたシート部材を用いて構成さていることから、自由な形状に折り曲げることができる。ところが、前述のように、面状照明装置としての良好な特性を確保するためには、導光板の下面側に反射シートを配置し、導光板の上面側に拡散シートおよびプリズムシート等の光学シート類をそれぞれ重ねて配置する必要がある。
【０００９】
そこで、本発明者は、伸縮性を有する導光板の下面側に従来の伸縮性を有しない反射シートを配置させ、導光板の上面側に従来の伸縮性を有しない拡散シートおよびプリズムシートを積層配置させた状態での曲げ具合を確認したところ、上面が凹面となるように一方向に（筒状に）湾曲させようとしても殆ど湾曲させることができなかった。また、面状照明装置の上面が凸面となるように一方向に湾曲させようとした場合には、湾曲させることはできたものの、反射シートが導光板の下面側から大きく離れるように屈曲(反転)する現象が生じた。導光板と反射シートとの間に大きな隙間が生じると、反射シートは光を導光板方向に効率的に反射させることができず、照明輝度が低下する。
すなわち、伸縮性を有する導光板の下面側に伸縮性を有しない反射シートを配置させ、導光板の上面側に伸縮性を有しない拡散シートおよびプリズムシートを積層配置させた状態では、面状照明装置全体を円滑に湾曲させることが困難であった。
【００１０】
そこで、本発明は、上記課題に鑑みてなされたものであり、サイドライト方式の面状照明装置において、導光板の下面側に反射シートを配置し、かつ、導光板の上面側にプリズムシート等の光学シート類を配置した状態であっても、一方向に湾曲可能な面状照明装置を提供するものである。
【課題を解決するための手段】
【００１１】
上記課題を解決するために、本発明の請求項１に記載の面状照明装置は、伸縮性を有する材料からなる導光板と、前記導光板の一方の面に配置される反射シートと、前記導光板の他方の面に配置される少なくとも１枚の光学シートとを備え、前記反射シートは、伸縮可能に構成されていることを特徴とするものである。
本発明によれば、伸縮性を有する材料を用いて導光板を成形するとともに、反射シートを伸縮可能な構成としたことから、反射シートが、面内の一方向の変形にともなって導光板との間で発生する力に応じて伸縮され、面状照明装置全体を一方向に円滑に湾曲させることができる。また、導光板の表面側に拡散シートあるいはプリズムシート等の光学シート類を配置させていることから、輝度の均一性および視野角特性などの照明特性の制御が可能である。
なお、本発明は、伸縮性を有する材料からなる導光板の上面側に配置される光学シート類は従来構成を維持しつつ、導光板の下面側に配置される反射シートを構造的に伸縮可能な構成とすることのみで、面状照明装置全体を一方向に湾曲させることができるという知見を得て完成されたものである。
【００１３】
また、本発明の請求項１に記載の面状照明装置は、前記反射シートは、一方向に沿って配置される複数の部分反射シートから構成され、該部分反射シートは、隣接する少なくとも一方の部分反射シートと一端側が互いに重ねられるように配置されるとともに、一部が前記導光板に固定され、かつ、前記固定された部分以外の部分が、前記導光板に対してスライド可能に取り付けられていることを特徴とするものであり、構造的に伸縮可能な反射シートとして好適な形態を示すものである。また、本発明によれば、複数の反射シートのそれぞれの反射面が平坦であることから、反射機能に優れている。
【００１４】
また、本発明の請求項２に記載の面状照明装置は、本発明の請求項１に記載の面状照明装置において、前記複数の部分反射シートは、前記一方向と平行な両端辺にそれぞれ１つ以上の鉤部が設けられており、前記鉤部の先端部が、前記導光板に前記一方向と平行に形成された溝に配置されていることを特徴とするものであり、反射シートを導光板に対して変位可能に取り付ける好適な形態を示すものである。
【発明を実施するための最良の形態】
【００１５】
以下、本発明の第１の実施形態に係る面状照明装置１を添付図面を参照して説明する。
図１は、面状照明装置１の全体構成の一例を概念的に示す分解斜視図である。面状照明装置１は、矩形平板状の導光板２と、導光板２の一側端面（入光面）４に配置されたＬＥＤ６とを備えている。導光板２の図示上面（以下、上面という）側には、平面状の拡散シート８、平面状の２枚のプリズムシート１０，１２および枠状の遮光シート１４が、その順に重ねて配置されている。また、導光板２の図示下面（以下、下面という）側には、後述する形状をした反射シート１６が、両面テープ１８を介して固定されている。
【００１６】
導光板２は、伸縮性を有する、すなわち容易に伸縮可能な材料(例えば、透明性シリコーンゴム)を用いて成形されている。シリコ−ンゴムを用いて成形した導光板２は、従来のアクリルまたはポリカーボネートからなる導光板と同様の厚み（例えば、０．５ｍｍ厚）であっても、本発明の導光板２として適用することができる。なお、導光板２の下面には、ＬＥＤ６から導光板２内に入射した光の光路を変換して導光板２の上面から出射させるための光散乱パターン（図示せず）が形成されている。
【００１７】
ＬＥＤ６は、図２に示すように、短冊状に形成されたＦＰＣ（フレキシブルプリント基板）２０に、ＬＥＤ６の出射面と直交する一側面をはんだ付けして実装されている。そして、ＦＰＣ２０の実装面の一部を導光板２の上面側に接着固定させることにより、導光板２とＬＥＤ６とが位置決め固定されている。
【００１８】
拡散シート８は、例えば、基材が伸縮性を有しないＰＥＴ（ポリエチレンテレフタレート）からなり、厚さが０．０５ｍｍに形成されている。また、プリズムシート１０，１２は、例えば、伸縮性を有しないポリエステルまたはアクリルからなり、厚さが０．１５５ｍｍに形成されている。
遮光シート１４は、黒色部材からなり、下面側に粘着剤が塗布されている。遮光シート１４は、図２に示すように、導光板２との間に拡散シート８、２枚のプリズムシート１０，１２およびＦＰＣ２０を挟み込むようにして、導光板２の上面の外周部に固着されている。
【００１９】
次に、本発明の特徴部分である反射シート１６について説明する。なお、以下では、便宜的に、ＬＥＤ６が配置された導光板２の入光面４の長手方向（Ｘ軸方向）と平行方向を、面状照明装置１を一方向に湾曲させる際の固定軸として説明する。すなわち、入光面４の長手方向と直交する面内（Ｙ−Ｚ面内）において面状照明装置を湾曲させること、換言すれば、導光板２の入光面４に直交する方向（Ｙ方向）にフレキシビリティを有するように構成することを前提として説明する。
【００２０】
本発明の第１の実施形態に係る反射シート１６は、図２に示すように、導光板２の入光面４と平行方向（Ｘ軸方向）に延びる断面視略矩形の凹部１６ａが、導光板２の入光面４と垂直方向（Ｙ軸方向）に繰り返し形成され、いわゆる蛇腹状に構成されている。凹部１６ａは、底面となる下平坦部１６ｃおよび２つの側壁部１６ｄ，１６ｅとから構成されている。また、隣接する凹部１６ａ，１６ａは、上平坦部１６ｂを介して結合されている。そして、反射シート１６は、上平坦部１６ｂに貼着された両面テープ１８を介して導光板２の下面に固定されている。
【００２１】
上記形態をした反射シート１６は、例えば、導光板２の下面の面積よりも大き目に切り出した３Ｍ社製の厚さ０．０６５ｍｍのＥＳＲ（Enhanced Specular
Reflector）反射フィルムを、所定形状に折り曲げ加工することによって得ることがでる。また、反射機能を有する金属を成形加工することによっても得ることができるし、上記形状をした基材に反射剤を塗布することによっても得ることができる。
【００２２】
次に、第１の実施形態に係る反射シート１６を備えた面状照明装置１を湾曲させる際の動作を図３（Ａ）（Ｂ）を参照して説明する。なお、図３（Ａ）（Ｂ）では、導光板２の上面側に配置される光学シート類の図示は省略されている。また、面状照明装置１が水平な状態（湾曲させていない初期状態）では、反射シート１６の凹部１６ａの折り曲げ角θを便宜的に９０°として説明する。
【００２３】
外部から面状照明装置１をＹ−Ｚ面内で曲げようとする力が加わると、導光板２の下面側が外力の方向（導光板２の曲がる方向）によってＹ−Ｚ面内において面方向に伸縮する（図３（Ａ）（Ｂ）の矢印参照）。このとき、反射シート１６は、折り曲げ角θを変化させながら、一対の側壁部１６ｄ，１６ｅが導光板２の下面に向かって開閉動作をすることによって導光板２の伸縮に追従しようとする。
具体的に説明すると、図３（Ａ）に示すように、面状照明装置１の上面を凸となるように湾曲させる場合には、導光板２の下面側が面方向に沿って縮む。このとき、反射シート１６の折り曲げ角θ１は、導光板２の縮み量に対応して、初期状態の９０°よりも大きくなる。すなわち、各一対の側壁部１６ｄ，１６ｅが閉じる方向に変位することにより、反射シート１６全体の面方向の実効的な長さを短くする。ここで、反射シート１６全体の面方向の実効的な長さとは、反射シート１６の複数の上平坦部１６ｂをつなぐ仮想的な平面の長さである。
一方、図３（Ｂ）に示すように、面状照明装置１の上面を凹となるように湾曲させた場合には、導光板２の下面側が面方向に沿って伸びる。このとき、反射シート１６は、導光板２の伸び量に対応して、折り曲げ角θ２を９０°よりも小さくする。すなわち、各一対の側壁部１６ｄ，１６ｅが開く方向に変位することにより、反射シート１６全体の面方向の実効的な長さを長くする。
なお、反射シート１６を構成する複数の上平坦部１６ｂは、曲げる方向および曲げ程度（曲率）によらず仮想平面上に位置し、導光板の下面との距離がほぼ一定に保たれる。
【００２４】
このように、反射シート１６を、導光板２の下面と対向する面（仮想面）内の一方向の長さを導光板２から受ける力に応じて構造的に可変可能に構成(伸縮可能に構成)したことによって、反射シート１６は導光板２の伸縮に追従することができる。したがって、面状照明装置１を一方向に湾曲させようとした場合に、反射シート１６に過剰な歪みの蓄積が生じることがないことから、反射シート１６が屈曲（反転）して導光板２の下面から大きく離れることなく、面状照明装置１を円滑に湾曲させることができる。
【００２５】
なお、図２に示す例では、反射シート１６の全ての上平坦部１６ｂが両面テープ１８を介して導光板２の下面に固定されているが、全ての上平坦部１６ｂで固定する必要はなく、例えば、１つ置きに固定するように構成してもよい。
また、反射シート１６の折り曲げ形状は、反射シート１６の折り曲げ角θ以外に、反射シート自体の厚み、折り曲げのピッチ、上平坦部１６ｂの幅と下平坦部１６ｃの幅の比、および凹部の高さによっても規定されるが、これらは面状照明装置１を折り曲げる際の曲率等を勘案して、適宜決定されるべきものである。
【００２６】
また、第１の実施形態に係る面状照明装置１を構成する反射シート１６の蛇腹（折り曲げ）形状は、図２に示す断面矩形の形状に限定されるものではない。例えば、図４（Ａ）に示す反射シート１６’ように断面形状を三角形状としたもの、または図（Ｂ）に示す反射シート１６”ように断面形状を上凸の半円弧形状にしたものであってもよい。反射シート１６’は、上面側がＬＥＤ６側を向く平面部１６’ａと、その反対側を向く平面部１６’ｂとを繰り返し形成することによって構成されている。また、反射シート１６”は、上面側がＬＥＤ６側を向く１／４円弧部１６”ａと、その反対側を向く１／４円弧部１６”ｂとを繰り返し形成することによって構成されている。
【００２７】
反射シート１６’は、反射シート１６と同様に、導光板２の下面の伸縮に応じて、折り曲げ形状（平面部１６’ａと平面部１６’ｂのなす角θ’）を変化させることにより、反射シート１６’全体の面方向の実効的な長さを可変して、導光板２の伸縮に追従することができる。また、反射シート１６”は、反射シート１６と同様に、導光板２の下面の伸縮に応じて、折り曲げ形状（平面部１６”ａと平面部１６”ｂのなす角θ”）を変化させることにより、反射シート１６”全体の面方向の実効的な長さを可変して、導光板２の伸縮に追従することができる。なお、いずれの実施形態とも、２つの面部のなす角度θ’，θ”が大きくなる（開く状態になる）ときに実効的な長さが長くなり、２つの面部のなす角度θ’，θ”が小さくなる（閉じる状態になる）ときに実効的な長さが短くなる。
【００２８】
次に、本発明の第２の実施形態に係る面状照明装置２１を添付図面を参照して説明する。図５は、面状照明装置２１の全体構成の一例を概念的に示す分解斜視図である。なお、導光板２２の上面側に配置される光学シート類には、第１の実施形態で説明したものと同様のものが適用できるので、同一符号を付し、その説明は省略する。
また、以下では、第１の実施形態と同様に、便宜的に、ＬＥＤ６が配置された導光板２２の入光面２４の長手方向（Ｘ軸方向）と平行方向を、面状照明装置２１を湾曲させる際の固定軸として説明する。すなわち、入光面２４の長手方向と直交する面内（Ｙ−Ｚ面内）において面状照明装置２１を湾曲させること、換言すれば、導光板２２の入光面２４に直交する方向（Ｙ軸方向）にフレキシビリティを有するように構成することを前提として説明する。
【００２９】
導光板２２は、第１の実施形態の導光板２と同様に、伸縮性を有する材料(例えば、透明性シリコーンゴム)を用いて略矩形平板状に成形されている。第１の実施形態における導光板２２と異なる点は、導光板２２の入光面２４と直交する側面２６，２７に溝２８，２９（溝２９は、図６（Ｂ）参照）がそれぞれ形成されている点である。溝２８，２９は、導光板２２の側面２６，２７の長手方向に延びるように形成されている。
【００３０】
反射シート３０は、導光板２２の入光面２４に直交する方向（Ｙ軸方向）に沿って配置される２枚の反射シート３１，３２（以下、部分反射シート３１，３２という）から構成されている。部分反射シート３１，３２は、それぞれ平板上の本体部３１ａ，３２ａと、鉤部３１ｂ，３１ｃ，３２ｂ，３２ｃとから構成されている。
部分反射シート３１，３２のそれぞれの本体部３１ａ，３２ａは、２枚の部分反射シート３１，３２によって導光板２２の下面のほぼ全域を覆い、かつ、導光板２２のＹ軸方向の略中央において、隣接する部分反射シート３１，３２の本体部３１ａ，３２ａの一部が互いに重なり合う領域Ｌが存在する大きさに構成されている（図６（Ａ）参照）。
そして、各本体部３１ａ，３２ａの、互いに重なり合う側の端辺とは反対側の端辺３１ｄ，３２ｄは、図６（Ａ）に示すように、端尺状の両面テープ３６，３７を介して導光板２２の下面両端部に固定されている。
【００３１】
部分反射シート３１，３２の鉤部３１ｂ〜３２ｃは、導光板２２の入光面２４に対応する端辺と直交する２つの端辺に、それぞれ２つ形成されている。各鉤部３１ｂ〜３２ｃは、本体部３１ａ，３２ａから垂直に立ち上がり、先端部３１ｂｂ，３１ｃｃ，３２ｂｂ，３２ｃｃが本体部３１ａ，３２ａに平行かつ本体部３１ａ，３２ａの内側を向くように構成されている。そして、一方の先端部３１ｂｂ，３２ｂｂは、導光板２２の入光面２４と直交する一方の側面２６に形成された溝２８に挿入されている。また、他方の先端部３１ｃｃ，３２ｃｃは、導光板２２の入光面２４と直交する他方の側面２７に形成された溝２９に挿入されている。溝２８，２９は、各先端部３１ｂｂ〜３２ｃｃが導光板２２に対してスライド可能となる形状に形成されている（図６（Ｂ）参照）。
なお、部分反射シートは、例えば、反射フィルムまたは金属反射板を所定形状に切断した後、鉤部３１ｂ〜３２ｃを折り曲げ加工することによって得ることができる。
【００３２】
次に、反射シート３０を組み付けた面状照明装置２１を湾曲させる際の動作について図７（Ａ）（Ｂ）を参照して説明する。なお、図７（Ａ）（Ｂ）では、導光板２２の上面側に配置される光学シート類の図示は省略されている。また、面状照明装置２１が水平な状態（湾曲させていない初期状態）では、反射シート３０の重なり合う領域Ｌの長さをＬ０として説明する。
【００３３】
外部から面状照明装置２１をＹ−Ｚ面内で曲げようとする力が加わると、導光板２２の下面側が外力の方向（導光板２２の曲がる方向）によってＹ−Ｚ面内で面方向に伸縮する（図７（Ａ）（Ｂ）の矢印参照）。このとき、部分反射シート３１，３２の端辺３１ｄ，３２ｄ側は、導光板２２の下面に両面テープ３６，３７によって固定されていることから、その部分では導光板２２に対して相対的に変位（スライド）することはできない。すなわち、部分反射シート３１，３２の端辺３１ｄ，３２ｄ側は、導光板２２の両端部の変位に追従して移動しようとする。
一方、部分反射シート３１，３２の端辺３１ｄ，３２ｄ以外の領域では、部分反射シート３１，３２は、各鉤部３１ｂ〜３２ｃの先端部３１ｂｂ〜３２ｃｃが、導光板２２の溝２８，２９内をスライドすることによって、導光板２２に対して相対的に変位することができる。したがって、面状照明装置２１を湾曲させようとする外力が働くと、導光板２２の下面側の伸縮にともなって部分反射シート３１，３２の重ね合う領域の長さＬを変化させながら、部分反射シート３１，３２が導光板２２に対して相対的に変位する。
【００３４】
すなわち、図７（Ａ）に示すように、面状照明装置２１の上面を凸となるように湾曲させる場合には、導光板２２の下面が面方向に縮もうとするとする。このとき、反射シート３０は、導光板２２の縮み量に対応して、重なり合う領域の長さＬ１をＬ０より長くすることによって、導光板２２の下面との距離をほぼ一定に保ちながら、反射シート３０全体の面方向の実効的な長さを短くする。一方、図７（Ｂ）に示すように、面状照明装置２１の上面を凹となるように湾曲させる場合には、導光板２２の下面が面方向に沿って伸びようとする。このとき、反射シート３０は、導光板２２の伸び量に対応して、重なり合う領域の長さＬ２をＬ０より短くすることによって、導光板２２の下面との距離をほぼ一定に保ちながら、反射シート３０全体の面方向の実効的な長さを長くする。
このように、反射シート３０を、導光板２２の下面と対向する面（仮想面）内の一方向の長さが導光板２から受ける力に応じて構造的に可変可能な構成（伸縮可能な構成）としたことによって、反射シート３０は、導光板２２の伸縮に追従することができる。したがって、面状照明装置２１を一方向に湾曲させようとした場合に、反射シート３０に過剰な歪みの蓄積が生じることがないことから、反射シート３０が屈曲(反転)して導光板２２の下面から大きく離れることなく、面状照明装置２１を円滑に湾曲させることができる。
特に、第２の実施形態の場合には、部分反射シート３１，３２の全面がほぼ平坦であることから、良好な反射性能を得ることができる。
【００３５】
なお、以上では部分反射シートの数が２つの場合を想定して第２の実施形態を説明したが、部分反射シートの数は２つに限定されるものではなく、導光板２２の大きさに応じて３つ以上にしてもよい。この場合、隣接する部分反射シートの少なくとも一方の部分反射シートと互いに重なり合う領域が形成されるように、各部分反射シートを構成すればよい。また、鉤部３１ｂ〜３２ｃのそれぞれの数も２つに限定されるものではなく、１つまたは３つ以上であってもよい。鉤部３１ｂ〜３２ｃを設ける位置についても上記実施形態に限定されるものではなく、例えば、部分反射シート３１，３２の互いに重なる側の端辺により近い位置に設けるようにしてもよい。
また、部分反射シート３１，３２と導光板２２との接着固定についても、本体部３１ａ，３２ａの端辺３１ｄ，３２ｄではなく、鉤部を導光板２２に固定するようにしてもよい。
また、反射シート３０の鉤部３１ｂ〜３２ｃと導光板２２の側面に設けられた溝２８，９とからなるスライド機構についても、上述の実施形態に限定されるものではなく、例えば、溝２８，２９を導光板２２の上面側に設けるように構成してもよい。この場合には、導光板２２の両側端面全体を反射シート３０で覆うことができる。
更に、導光板２２の側面２６，２７の略全長にわたって連続して形成されている溝２８，２９を、各鉤部３１ｂ〜３２ｃ対応する位置に分散させて設けてもよい。
【００３６】
上述のいずれの実施形態においても、ＬＥＤ６の使用個数に応じて導光板２，２２の複数の側端面にＬＥＤ６を分散して配置してもよい。また、導光板２，２２内部に凹部または貫通孔を形成し、その凹部または貫通孔にＬＥＤ６を位置決め固定するように構成してもよい。また、光源は必ずしもＬＥＤのような点状光源である必要はなく、冷陰極管のような線状光源であってもよい。
また、上述のいずれの実施形態においても、光学シート類は、拡散シート８と２枚のプリズムシート１０，１２との組み合わせに限定されるものではなく、照明装置の仕様によっては、プリズムシート１０，１２を使用することなく、拡散シート８のみを使用する構成であってもよい。また、プリズムシートの枚数も２枚に限定されるものではなく１枚であってもよいし、３枚以上であってもよい。
【図面の簡単な説明】
【００３７】
【図１】本発明の第１の実施形態に係る面状照明装置の分解斜視図である。
【図２】本発明の第１の実施形態に係る面状照明装置のＹ−Ｚ平面に平行な断面図である。
【図３】（Ａ）は、図１に示す面状照明装置の導光板を凸状に湾曲させた場合の反射シートの状態を模式的に示す図であり、（Ｂ）は、図１に示す面状照明装置の導光板を凹状に湾曲させた場合の反射シートの状態を模式的に示す図である。
【図４】（Ａ）および（Ｂ）は、本発明の第１の実施形態に係る面状照明装置の、反射シートの変形例を示す断面図である。
【図５】本発明の第２の実施形態に係る面状照明装置の分解斜視図である。
【図６】（Ａ）は、図５に示す面状照明装置のＸ軸方向から見た側面図であり、（Ｂ）は、図６（Ａ）のＡ−Ａ断面図である。
【図７】（Ａ）は、図５に示す面状照明装置の導光板を凸状に湾曲させた場合の反射シートの状態を模式的に示す図であり、（Ｂ）は、図５に示す面状照明装置の導光板を凹状に湾曲させた場合の反射シートの状態を模式的に示す図である。
【図８】従来の面状照明装置を示す分解斜視図である。
【図９】従来のフレキシブルタイプの面状照明装置を示す分解斜視図である。
【符号の説明】
【００３８】
１，２１：面状照明装置、２，２２：導光板、６：ＬＥＤ、１６，３０：反射シート、２８，２９：導光板の側端面に形成された溝、３１，３２：部分反射シート、３１ａ，３２ａ：部分反射シートの本体部、３１ｂ，３１ｃ，３２ｂ，３２ｃ：部分反射シートの鉤部、３１ｂｂ，３１ｃｃ，３２ｂｂ，３２ｃｃ：鉤部の先端部
【図１】
0004987654.tif 000002
【図２】
0004987654.tif 000003
【図３】
0004987654.tif 000004
【図４】
0004987654.tif 000005
【図５】
0004987654.tif 000006
【図６】
0004987654.tif 000007
【図７】
0004987654.tif 000008
【図８】
0004987654.tif 000009
【図９】
0004987654.tif 000010